(57)【要約】【課題】加湿用の水分の供給源である外気が低湿状態であっても、加湿能力を向上し得るデシカント空調装置を提供する。【解決手段】内気循環形態の放湿風路Ｈｒｃを通して内気ＲＡを放湿対象空気として通流させる給気側送風手段８と、外気循環形態の吸湿風路Ｄｏｃを通して外気ＯＡを吸湿対象空気として通流させる排気側送風手段１０とが設けられ、運転制御手段６が、加湿運転において、放湿対象空気の風量が吸湿対象空気の風量と同量となる又は吸湿対象空気の風量よりも多くなるように給気側送風手段８及び排気側送風手段１０の作動を制御する通常モードと、放湿対象空気の風量が吸湿対象空気の風量よりも少なくなるように給気側送風手段８及び排気側送風手段１０の作動を制御する低湿時モードとに運転モードを切り換え自在なように構成されている。【選択図】図１
2011185572.tif 000002
【特許請求の範囲】
【請求項１】
空調対象空間の空気である内気を取り込んで再び空調対象空間に戻す内気循環形態の放湿風路を通して内気を放湿対象空気として通流させる給気側送風手段と、
外気を取り込んで再び屋外に排出する外気循環形態の吸湿風路を通して外気を吸湿対象空気として通流させる排気側送風手段と、
一部を前記内気循環形態の放湿風路に位置させ且つ他の一部を前記外気循環形態の吸湿風路に位置させるように配置されて、駆動手段により駆動回転される調湿体を備えた調湿手段と、
前記内気循環形態の放湿風路における前記調湿体よりも通風方向上手側箇所にて放湿対象空気に対して加熱作用する調湿用加熱手段と、
運転を制御する運転制御手段とが設けられ、
その運転制御手段が、前記駆動手段を作動させ且つ前記調湿用加熱手段を加熱作用させて、前記外気循環形態の吸湿風路を通流する吸湿対象空気から前記調湿体が吸湿した水分を前記内気循環形態の放湿風路を通流する放湿対象空気に放湿する加湿運転を実行するように構成されたデシカント空調装置であって、
前記運転制御手段が、前記加湿運転において、放湿対象空気の風量が吸湿対象空気の風量と同量となる又は吸湿対象空気の風量よりも多くなるように前記給気側送風手段及び前記排気側送風手段の作動を制御する通常モードと、放湿対象空気の風量が吸湿対象空気の風量よりも少なくなるように前記給気側送風手段及び前記排気側送風手段の作動を制御する低湿時モードとに運転モードを切り換え自在なように構成されているデシカント空調装置。
【請求項２】
外気の気象情報として少なくとも湿度を検出する気象情報検出手段が設けられ、
前記運転制御手段が、前記気象情報検出手段の検出情報に基づいて外気が低湿状態であると判別する状態では前記低湿時モードを実行し、低湿状態でないと判別する状態では前記通常モードを実行するように構成されている請求項１に記載のデシカント空調装置。
【請求項３】
前記運転制御手段が、前記低湿時モードにおいては、吸湿対象空気の風量を前記通常モードと同量にする状態で、放湿対象空気の風量を前記通常モードよりも少なくすべく前記給気側送風手段及び前記排気側送風手段の作動を制御するように構成されている請求項１又は２に記載のデシカント空調装置
【請求項４】
前記運転制御手段が、前記低湿時モードにおいては、放湿対象空気の風量を前記通常モード時の略半分の量にすべく前記給気側送風手段の作動を制御するように構成されている請求項３に記載のデシカント空調装置。
【請求項５】
前記内気循環形態の放湿風路における前記調湿用加熱手段よりも通風方向上手側箇所を通流する放湿対象空気と前記外気循環形態の吸湿風路における前記調湿体よりも通風方向下手側箇所を通流する吸湿対象空気とを熱交換させる顕熱交換部が設けられている請求項１〜４のいずれか１項に記載のデシカント空調装置。
【請求項６】
ケーシングの内部に、放湿風路入口及び放湿風路出口を備えた放湿風路、並びに、吸湿風路入口及び吸湿風路出口を備えた吸湿風路が区画形成され、
前記調湿体が、一部を前記放湿風路に位置させ且つ他の一部を前記吸湿風路に位置させる形態で配設され、
前記調湿用加熱手段が、前記放湿風路における前記調湿体よりも通風方向上手側箇所に配設され、
前記放湿風路における前記調湿用加熱手段よりも通風方向上手側箇所を通流する放湿対象空気と前記吸湿風路における前記調湿体よりも通風方向下手側箇所を通流する吸湿対象空気とを熱交換させる顕熱交換部と、
空調対象空間から内気が流出する還気部を、前記放湿風路入口に連通させる還気部放湿入口連通状態と、前記吸湿風路入口に連通させる還気部吸湿入口連通状態とに切り換え自在な還気部連通先切換手段と、
空調対象空間に調湿後の空気を供給する給気部を、前記放湿風路出口に連通させる給気部放湿出口連通状態と、前記吸湿風路出口に連通させる給気部吸湿出口連通状態とに切り換え自在な給気部連通先切換手段と、
屋外から外気が流入する外気部を、前記吸湿風路入口に連通させる外気部吸湿入口連通状態と、前記放湿風路入口に連通させる外気部放湿入口連通状態とに切り換え自在な外気部連通先切換手段と、
屋外に空気を排出する排気部を、前記吸湿風路出口に連通させる排気部吸湿出口連通状態と、前記放湿風路出口に連通させる排気部放湿出口連通状態とに切り換え自在な排気部連通先切換手段とが設けられ、
前記給気側送風手段が、前記給気部連通先切換手段における前記給気部に対する連通口に吸い込み作用して吸い込んだ空気を前記給気部に吐き出すように設けられ、
前記排気側送風手段が、前記排気部連通先切換手段における前記排気部に対する連通口に吸い込み作用して吸い込んだ空気を前記排気部に吐き出すように設けられ、
前記運転制御手段が、
前記還気部連通先切換手段を前記還気部放湿入口連通状態に、前記給気部連通先切換手段を前記給気部放湿出口連通状態に夫々切り換えて前記内気循環形態の放湿風路を形成し、且つ、前記外気部連通先切換手段を前記外気部吸湿入口連通状態に、前記排気部連通先切換手段を前記排気部吸湿出口連通状態に夫々切り換えて前記外気循環形態の吸湿風路を形成する前記加湿運転と、
前記還気部連通先切換手段を前記還気部吸湿入口連通状態に、前記給気部連通先切換手段を前記給気部吸湿出口連通状態に夫々切り換えて内気循環形態の吸湿風路を形成し、且つ、前記外気部連通先切換手段を前記外気部放湿入口連通状態に、前記排気部連通先切換手段を前記排気部放湿出口連通状態に夫々切り換えて外気循環形態の放湿風路を形成して、前記内気循環形態の吸湿風路を通流する吸湿対象空気から前記調湿体が吸湿した水分を前記外気循環形態の放湿風路を通流する放湿対象空気に放湿する除湿運転とに切り換え自在なように構成されている請求項１〜４のいずれか１項に記載のデシカント空調装置。
【発明の詳細な説明】
【技術分野】
【０００１】
本発明は、空調対象空間の空気である内気を取り込んで再び空調対象空間に戻す内気循環形態の放湿風路を通して内気を放湿対象空気として通流させる給気側送風手段と、外気を取り込んで再び屋外に排出する外気循環形態の吸湿風路を通して外気を吸湿対象空気として通流させる排気側送風手段と、一部を前記内気循環形態の放湿風路に位置させ且つ他の一部を前記外気循環形態の吸湿風路に位置させるように配置されて、駆動手段により駆動回転される調湿体を備えた調湿手段と、前記内気循環形態の放湿風路における前記調湿体よりも通風方向上手側箇所にて放湿対象空気に対して加熱作用する調湿用加熱手段と、運転を制御する運転制御手段とが設けられ、その運転制御手段が、前記駆動手段を作動させ且つ前記調湿用加熱手段を加熱作用させて、前記外気循環形態の吸湿風路を通流する吸湿対象空気から前記調湿体が吸湿した水分を前記内気循環形態の放湿風路を通流する放湿対象空気に放湿する加湿運転を実行するように構成されたデシカント空調装置に関する。
【背景技術】
【０００２】
かかるデシカント空調装置は、外気を吸湿対象空気として外気循環形態の吸湿風路を通過させたのちに屋外に排出し、並びに、空調対象空間の内気を放湿対象空気として内気循環形態の放湿風路を通過させたのちに再び空調対象空間に供給することにより、調湿体において吸湿対象空気としての外気から吸湿した水分を放湿対象空気としての内気に放湿させて、内気を外気に含まれる水蒸気により加湿しながら内気循環形態の放湿風路を通して循環させることにより、空調対象空間を加湿するものである（例えば、特許文献１参照。）。
そして、このようなデシカント空調装置では、上記の特許文献１には明確に記載されていないが、内気循環形態の放湿風路を通流させる内気の風量と外気循環形態の吸湿風路を通流させる外気の風量とが互いに同量になるように、給気側送風手段及び排気側送風手段の作動が制御されるように構成されていた。
【先行技術文献】
【特許文献】
【０００３】
【特許文献１】特開２００１−１９３９６６号公報（図１１）
【発明の概要】
【発明が解決しようとする課題】
【０００４】
ところで、冬季等、吸湿対象空気としての外気の湿度が低い低湿状態のときは、調湿体において吸湿対象空気から吸湿する吸湿量がかなり少なくなるので、調湿体において放湿対象空気に放湿することができる放湿量が少なくなり、そのため、加湿能力が低くなるという問題があった。
【０００５】
本発明は、かかる実情に鑑みてなされたものであり、その目的は、加湿用の水分の供給源である外気が低湿状態であっても、加湿能力を向上し得るデシカント空調装置を提供することにある。
【課題を解決するための手段】
【０００６】
本発明のデシカント空調装置は、空調対象空間の空気である内気を取り込んで再び空調対象空間に戻す内気循環形態の放湿風路を通して内気を放湿対象空気として通流させる給気側送風手段と、外気を取り込んで再び屋外に排出する外気循環形態の吸湿風路を通して外気を吸湿対象空気として通流させる排気側送風手段と、一部を前記内気循環形態の放湿風路に位置させ且つ他の一部を前記外気循環形態の吸湿風路に位置させるように配置されて、駆動手段により駆動回転される調湿体を備えた調湿手段と、前記内気循環形態の放湿風路における前記調湿体よりも通風方向上手側箇所にて放湿対象空気に対して加熱作用する調湿用加熱手段と、運転を制御する運転制御手段とが設けられ、その運転制御手段が、前記駆動手段を作動させ且つ前記調湿用加熱手段を加熱作用させて、前記外気循環形態の吸湿風路を通流する吸湿対象空気から前記調湿体が吸湿した水分を前記内気循環形態の放湿風路を通流する放湿対象空気に放湿する加湿運転を実行するように構成されたものであって、
第１特徴構成は、前記運転制御手段が、前記加湿運転において、放湿対象空気の風量が吸湿対象空気の風量と同量となる又は吸湿対象空気の風量よりも多くなるように前記給気側送風手段及び前記排気側送風手段の作動を制御する通常モードと、放湿対象空気の風量が吸湿対象空気の風量よりも少なくなるように前記給気側送風手段及び前記排気側送風手段の作動を制御する低湿時モードとに運転モードを切り換え自在なように構成されている点にある。
【０００７】
上記特徴構成によれば、通常モードでは、内気循環形態の放湿風路を通流する放湿対象空気としての内気の風量は、外気循環形態の吸湿風路を通流する吸湿対象空気としての外気の風量とほぼ同量又は吸湿対象空気としての外気の風量よりも多くなり、一方、低湿時モードでは、内気循環形態の放湿風路を通流する放湿対象空気としての内気の風量は、外気循環形態の吸湿風路を通流する吸湿対象空気としての外気の風量よりも少なくなる。
【０００８】
つまり、例えば、外気循環形態の吸湿風路を通流する吸湿対象空気の風量を通常モードと低湿時モードで同量にし、内気循環形態の放湿風路を通流する放湿対象空気の風量を低湿時モードでは通常モードよりも少なくすることにより、低湿時モードでは、内気循環形態の放湿風路を通流する放湿対象空気の風量を外気循環形態の吸湿風路を通流する吸湿対象空気の風量よりも少なくすることが可能である。
このように、低湿時モードでは、外気循環形態の吸湿風路を通流する吸湿対象空気の風量を通常モードと同量にする状態で、内気循環形態の放湿風路を通流する放湿対象空気の風量を通常モードよりも少なくすることにより、調湿用加熱手段により、放湿対象空気を一層高温に加熱することができる。そのように一層高温に加熱された放湿対象空気が調湿体を通過することにより、調湿体を一層高温に加熱することができるので、調湿体からの放湿量を増加させることができるようになり、それにより、吸湿体の再生状態を一層促進することができる。
そして、調湿体において再生状態が一層促進した部分を吸湿対象空気が通過することにより、吸湿対象空気が保有している水分を十分に吸湿体に吸湿させることができる。
従って、低湿時モードでは、通常モードに比べて、放湿対象空気をより高温に加熱して調湿体の再生状態を向上させることができることにより、調湿体における吸湿対象空気からの吸湿量を多くすることができると共に、調湿体からの放湿対象空気に対する放湿量を多くすることができる。
【０００９】
あるいは、内気循環形態の放湿風路を通流する放湿対象空気の風量を通常モードと低湿時モードで同量にし、外気循環形態の吸湿風路を通流する吸湿対象空気の風量を低湿時モードでは通常モードよりも多くすることにより、低湿時モードでは、内気循環形態の放湿風路を通流する放湿対象空気の風量を外気循環形態の吸湿風路を通流する吸湿対象空気の風量よりも少なくすることが可能である。
このように、低湿時モードでは、内気循環形態の放湿風路を通流する放湿対象空気の風量を通常モードと同量にする状態で、外気循環形態の吸湿風路を通流する吸湿対象空気の風量を通常モードよりも多くすることにより、通常モードに比べて、外気循環形態の吸湿風路を通流する吸湿対象空気から調湿体に吸湿させる量を多くすることができるので、調湿体からの放湿対象空気に対する放湿量を多くすることができる。
要するに、加湿用の水分の供給源である外気が低湿状態であっても、加湿能力を向上し得るデシカント空調装置を提供することができるようになった。
【００１０】
第２特徴構成は、上記第１特徴構成に加えて、
外気の気象情報として少なくとも湿度を検出する気象情報検出手段が設けられ、
前記運転制御手段が、前記気象情報検出手段の検出情報に基づいて外気が低湿状態であると判別する状態では前記低湿時モードを実行し、低湿状態でないと判別する状態では前記通常モードを実行するように構成されている点にある。
【００１１】
上記特徴構成によれば、少なくとも外気の湿度を含む気象情報検出手段の検出情報に基づいて、外気が低湿状態であるか否かが的確に判別される。
そして、外気が低湿状態であると判別されると、自動的に低湿時モードが実行され、外気が低湿状態でないと判別されると、自動的に通常モードが実行される。
従って、外気が低湿状態であるか否かが的確に判別されて、その的確な判別結果に基づいて通常モードと低湿時モードとの切り換えが自動的に行われるので、外気が低湿状態であるか否かに拘わらず、空調対象空間を適正に加湿することができるようになった。
【００１２】
第３特徴構成は、上記第１又は第２特徴構成に加えて、
前記運転制御手段が、前記低湿時モードにおいては、吸湿対象空気の風量を前記通常モードと同量にする状態で、放湿対象空気の風量を前記通常モードよりも少なくすべく前記給気側送風手段及び前記排気側送風手段の作動を制御するように構成されている点にある。
【００１３】
上記特徴構成によれば、低湿時モードでは、調湿用加熱手段により放湿対象空気を一層高温に加熱することができて、調湿体の再生状態を一層向上させることができるので、低湿時モードでは、通常モードに比べて、調湿体における吸湿対象空気からの吸湿量を多くすることができると共に、調湿体からの放湿対象空気に対する放湿量を多くすることができる。
そして、吸湿対象空気の風量を通常モードと低湿時モードとで同量にし、放湿対象空気の風量を低湿時モードでは通常モードよりも少なくするので、給気側送風手段及び排気側送風手段夫々の能力を大きくする必要がない。
従って、給気側送風手段及び排気側送風手段としては同能力のものを設けながら、加湿用の水分の供給源である外気が低湿状態であっても、加湿能力を向上することができるようになった。
【００１４】
第４特徴構成は、上記第３特徴構成に加えて、
前記運転制御手段が、前記低湿時モードにおいては、放湿対象空気の風量を前記通常モード時の略半分の量にすべく前記給気側送風手段の作動を制御するように構成されている点にある。
【００１５】
上記特徴構成によれば、低湿時モードでは、内気循環形態の放湿風路を通流する放湿対象空気の風量を通常モード時の略半分にすることにより、調湿用加熱手段により放湿対象空気を一層高温に加熱することができるようになり、吸湿体における一層広い範囲を再生すると共にその再生状態を一層促進することができる。
つまり、低湿時モードにおいて内気循環形態の放湿風路を通流する放湿対象空気の風量を通常モード時よりも少なくするにしても、その少なくする量が少な過ぎると、効果が小さく、上記の作用・効果を奏することができない。逆に、少なくする量が多過ぎると、調湿用加熱手段により放湿対象空気を一層高温に加熱することができるものの、内気循環形態の放湿風路を通流する放湿対象空気に偏流が起こって、結果的に放湿量が少なくなり、能力低下となる。いずれの場合も調湿体の再生状態を十分に促進させることができない。
従って、吸湿体における一層広い範囲を再生すると共にその再生状態を一層促進することができるので、加湿用の水分の供給源である外気が低湿状態であっても、加湿能力を一層向上することができるようになった。
【００１６】
第５特徴構成は、上記第１〜第４特徴構成のいずれか１つに加えて、
前記内気循環形態の放湿風路における前記調湿用加熱手段よりも通風方向上手側箇所を通流する放湿対象空気と前記外気循環形態の吸湿風路における前記調湿体よりも通風方向下手側箇所を通流する吸湿対象空気とを熱交換させる顕熱交換部が設けられている点にある。
【００１７】
上記特徴構成によれば、放湿対象空気は、調湿用加熱手段よりも通風方向上手側箇所で顕熱交換部を通過して、調湿体を通過した吸湿対象空気との熱交換により加熱され、更に、調湿用加熱手段にて加熱されたのち調湿体を通過するので、その放湿対象空気により、調湿体を更に高温に加熱して、調湿体の再生状態を更に促進させることができる。
つまり、吸湿対象空気は、調湿体において調湿用加熱手段にて加熱された放湿対象空気が通過して加熱された部分を通過すること及び凝縮熱により昇温され、顕熱交換部では、そのように昇温された吸湿対象空気と放湿対象空気とが熱交換されるので、放湿対象空気が加熱されることになる。そして、そのように顕熱交換部にて加熱された放湿対象空気を調湿用加熱手段で加熱するので、調湿体を通過させる放湿対象空気の温度を更に高温にすることができ、それによって、調湿体の再生状態を更に促進させることができるのである。
従って、加湿用の水分の供給源である外気が低湿状態であっても、加湿能力を更に向上することができるようになった。
【００１８】
第６特徴構成は、上記第１〜第４特徴構成のいずれか１つに加えて、
ケーシングの内部に、放湿風路入口及び放湿風路出口を備えた放湿風路、並びに、吸湿風路入口及び吸湿風路出口を備えた吸湿風路が区画形成され、
前記調湿体が、一部を前記放湿風路に位置させ且つ他の一部を前記吸湿風路に位置させる形態で配設され、
前記調湿用加熱手段が、前記放湿風路における前記調湿体よりも通風方向上手側箇所に配設され、
前記放湿風路における前記調湿用加熱手段よりも通風方向上手側箇所を通流する放湿対象空気と前記吸湿風路における前記調湿体よりも通風方向下手側箇所を通流する吸湿対象空気とを熱交換させる顕熱交換部と、
空調対象空間から内気が流出する還気部を、前記放湿風路入口に連通させる還気部放湿入口連通状態と、前記吸湿風路入口に連通させる還気部吸湿入口連通状態とに切り換え自在な還気部連通先切換手段と、
空調対象空間に調湿後の空気を供給する給気部を、前記放湿風路出口に連通させる給気部放湿出口連通状態と、前記吸湿風路出口に連通させる給気部吸湿出口連通状態とに切り換え自在な給気部連通先切換手段と、
屋外から外気が流入する外気部を、前記吸湿風路入口に連通させる外気部吸湿入口連通状態と、前記放湿風路入口に連通させる外気部放湿入口連通状態とに切り換え自在な外気部連通先切換手段と、
屋外に空気を排出する排気部を、前記吸湿風路出口に連通させる排気部吸湿出口連通状態と、前記放湿風路出口に連通させる排気部放湿出口連通状態とに切り換え自在な排気部連通先切換手段とが設けられ、
前記給気側送風手段が、前記給気部連通先切換手段における前記給気部に対する連通口に吸い込み作用して吸い込んだ空気を前記給気部に吐き出すように設けられ、
前記排気側送風手段が、前記排気部連通先切換手段における前記排気部に対する連通口に吸い込み作用して吸い込んだ空気を前記排気部に吐き出すように設けられ、
前記運転制御手段が、
前記還気部連通先切換手段を前記還気部放湿入口連通状態に、前記給気部連通先切換手段を前記給気部放湿出口連通状態に夫々切り換えて前記内気循環形態の放湿風路を形成し、且つ、前記外気部連通先切換手段を前記外気部吸湿入口連通状態に、前記排気部連通先切換手段を前記排気部吸湿出口連通状態に夫々切り換えて前記外気循環形態の吸湿風路を形成する前記加湿運転と、
前記還気部連通先切換手段を前記還気部吸湿入口連通状態に、前記給気部連通先切換手段を前記給気部吸湿出口連通状態に夫々切り換えて内気循環形態の吸湿風路を形成し、且つ、前記外気部連通先切換手段を前記外気部放湿入口連通状態に、前記排気部連通先切換手段を前記排気部放湿出口連通状態に夫々切り換えて外気循環形態の放湿風路を形成して、前記内気循環形態の吸湿風路を通流する吸湿対象空気から前記調湿体が吸湿した水分を前記外気循環形態の放湿風路を通流する放湿対象空気に放湿する除湿運転とに切り換え自在なように構成されている点にある。
【００１９】
上記特徴構成によれば、加湿運転では、還気部連通先切換手段が還気部放湿入口連通状態に、給気部連通先切換手段が給気部放湿出口連通状態に夫々切り換えられて、内気循環形態の放湿風路が形成され、並びに、外気部連通先切換手段が外気部吸湿入口連通状態に、排気部連通先切換手段が排気部吸湿出口連通状態に夫々切り換えられて、外気循環形態の吸湿風路が形成される。
つまり、給気側通風手段の通風作用により、還気部を通して取り込まれた内気は放湿対象空気として内気循環形態の放湿風路を通過した後、給気部を通して空調対象空間に供給され、排気側通風手段の通風作用により、外気部を通して取り込まれた外気は吸湿対象空気として外気循環形態の吸湿風路を通過した後、排気部から屋外に排出される。
そして、吸湿対象空気である外気は、調湿体を通過するときに、調湿体の保有熱及び凝縮熱により昇温されつつ保有している水蒸気が調湿体に吸収されて、除湿されると共に昇温され、そのように除湿並びに昇温された吸湿対象空気が顕熱交換部を通過するときに放湿対象空気との熱交換により冷却された後、屋外に排出される。一方、放湿対象空気である内気は、顕熱交換部を通過するときに吸湿対象空気との熱交換により加熱され、更に、調湿用加熱手段を通過して加熱され、そのように加熱された放湿対象空気が調湿体を通過するときに調湿体から放湿されて加湿され、そのように加湿された放湿対象空気が再び空調対象空間に供給されることになり、空調対象空間が加湿される。
【００２０】
又、除湿運転では、還気部連通先切換手段が還気部吸湿入口連通状態に、給気部連通先切換手段が給気部吸湿出口連通状態に夫々切り換えられて、内気循環形態の吸湿風路が形成され、並びに、外気部連通先切換手段が外気部放湿入口連通状態に、排気部連通先切換手段が排気部放湿出口連通状態に夫々切り換えられて、外気循環形態の放湿風路が形成される。
つまり、給気側通風手段の通風作用により、還気部を通して取り込まれた内気は吸湿対象空気として内気循環形態の吸湿風路を通過した後、給気部を通して空調対象空間に供給され、排気側通風手段の通風作用により、外気部を通して取り込まれた外気は放湿対象空気として外気循環形態の放湿風路を通過した後、排気部から屋外に排出される。
そして、吸湿対象空気である内気は、調湿体を通過するときに、調湿体の保有熱及び凝縮熱により昇温されつつ保有している水蒸気が調湿体に吸収されて、除湿されると共に昇温され、そのように除湿並びに昇温された吸湿対象空気が顕熱交換部を通過するときに放湿対象空気との熱交換により冷却された後、空調対象空間に供給される。一方、放湿対象空気である外気は、顕熱交換部を通過するときに吸湿対象空気との熱交換により加熱され、更に、調湿用加熱手段を通過することで加熱され、そのように加熱された放湿対象空気が調湿体を通過するときに調湿体から放湿されて加湿され、そのように加湿された吸湿対象空気が屋外に排出されることになり、空調対象空間が除湿される。
【００２１】
従って、加湿運転と除湿運転とに切り換えることにより、空調対象空間を加湿したり除湿したりすることができ、しかも、加湿運転では、通常モードと低湿時モードとに切り換えることができるので、外気の湿度の高低に拘わらず、空調対象空間を適切な湿度に空調することができるようになった。
【図面の簡単な説明】
【００２２】
【図１】デシカント空調装置の全体構成、及び、循環式加湿運転での風路形成状態を示すブロック図
【図２】調湿部の構成を示す一部切り欠き斜視図
【図３】循環式除湿運転での風路形成状態を示すブロック図
【図４】換気式加湿運転での風路形成状態を示すブロック図
【図５】換気式除湿運転での風路形成状態を示すブロック図
【図６】加湿能力を向上できることを検証した結果を示す図
【発明を実施するための形態】
【００２３】
以下、図面に基づいて、本発明の実施の形態を説明する。
図１に示すように、デシカント空調装置は、概ね直方体形状のケーシング１を用いて組み付けて構成されている。
このケーシング１の内部には、放湿風路入口Ｈｉ及び放湿風路出口Ｈｅを備えた放湿風路Ｈ、並びに、吸湿風路入口Ｄｉ及び吸湿風路出口Ｄｅを備えた吸湿風路Ｄが区画形成されている。
又、ケーシング１の内部には、一部を放湿風路Ｈに位置させ且つ他の一部を吸湿風路Ｄに位置させるように配置されて、電動モータ２（駆動手段に相当する）により駆動回転される調湿ロータ３（調湿体に相当する）を備えた調湿部Ｌ（調湿手段に相当する）、放湿風路Ｈにおける調湿ロータ３よりも通風方向上手側箇所にて放湿対象空気に対して加熱作用する調湿用加熱器４（調湿用加熱手段に相当する）、放湿風路Ｈにおける調湿用加熱器４よりも通風方向上手側箇所を通流する放湿対象空気と吸湿風路Ｄにおける調湿ロータ２よりも通風方向下手側箇所を通流する吸湿対象空気とを熱交換させる顕熱交換部５、及び、このデシカント空調装置の運転を制御する運転制御部６（運転制御手段に相当する）が設けられている。
【００２４】
更に、ケーシング１の外部には、調湿部Ｌにより調湿された空気を給気ＳＡとして給気ダクト７（給気部に相当する）を通して空調対象空間（図示省略）に供給する給気側送風機８（給気側送風手段に相当する）、及び、空調対象空間に供給する給気ＳＡを調湿するために用いた空気を排気ＥＡとして排気ダクト９（排気部に相当する）を通して外部に排出する排気側送風機１０（排気側送風手段に相当する）が接続されている。
【００２５】
この実施形態では、デシカント空調装置は、空調対象空間の空気である内気ＲＡを調湿部Ｌにて加湿して給気ＳＡとして空調対象空間に供給する循環式加湿運転、内気ＲＡを調湿部Ｌにて除湿して給気ＳＡとして空調対象空間に供給する循環式除湿運転、外気ＯＡを調湿部Ｌにて加湿して給気ＳＡとして空調対象空間に供給する換気式加湿運転、及び、外気ＯＡを調湿部Ｌにて除湿して給気ＳＡとして空調対象空間に供給する換気式除湿運転の４種の運転形態に切り換え自在なように構成されている。
【００２６】
そして、上記の４種の運転に切り換えるために、内気ＲＡ及び外気ＯＡの通風経路を切り換えるべく、空調対象空間から内気ＲＡが流出する還気ダクト１１を、放湿風路入口Ｈｉに連通させる還気部放湿入口連通状態と、吸湿風路入口Ｄｉに連通させる還気部吸湿入口連通状態とに切り換え自在な還気部連通先切換部Ｖｒ（還気部連通先切換手段に相当する）と、空調対象空間に調湿後の空気を給気ＳＡとして供給する給気ダクト７を、放湿風路出口Ｈｅに連通させる給気部放湿出口連通状態と、吸湿風路出口Ｄｅに連通させる給気部吸湿出口連通状態とに切り換え自在な給気部連通先切換部Ｖｓ（給気部連通先切換手段に相当する）と、屋外から外気ＯＡが流入する外気ダクト１２を、吸湿風路入口Ｄｉに連通させる外気部吸湿入口連通状態と、放湿風路入口Ｈｉに連通させる外気部放湿入口連通状態とに切り換え自在な外気部連通先切換部Ｖｏ（外気部連通先切換手段に相当する）と、屋外に空気を排出する排気ダクト９を、吸湿風路出口Ｄｅに連通させる排気部吸湿出口連通状態と、放湿風路出口Ｈｅに連通させる排気部放湿出口連通状態とに切り換え自在な排気部連通先切換部Ｖｅ（排気部連通先切換手段に相当する）とが設けられている。
又、給気側送風機８が、給気部連通先切換部Ｖｓにおける給気ダクト７に対する連通口３０ｃに吸い込み作用して吸い込んだ空気を給気ダクト７に吐き出すように設けられ、排気側送風機１０が、排気部連通先切換部Ｖｅにおける排気ダクト９に対する連通口３２ｃに吸い込み作用して吸い込んだ空気を排気ダクト９に吐き出すように設けられている。
【００２７】
以下、デシカント空調装置の各部について説明を加える。
図１に示すように、平面視において、ケーシング１の４つの側壁のうちの一側壁に、吸湿風路入口Ｄｉ及び放湿風路出口Ｈｅが横方向に並べて設けられ、それら吸湿風路入口Ｄｉ及び放湿風路出口Ｈｅが設けられた側壁に対向する側壁に、放湿風路入口Ｈｉ及び吸湿風路出口Ｄｅが設けられている。そして、放湿風路入口Ｈｉが吸湿風路入口Ｄｉと同じ側に、吸湿風路出口Ｄｅが放湿風路出口Ｈｅと同じ側に位置する状態でそれぞれ横方向に並べて設けられている。
【００２８】
図１及び図２に示すように、調湿ロータ３は、軸心方向に通気自在な円盤状のハニカム状の基材に吸湿材（シリカゲルやゼオライト等）を保持して構成され、その外周部に全周にわたってギア部１３が設けられている。
そして、調湿ロータ３がその軸心にて回転自在に一対の矩形状の支持板１４の間に支持されると共に、その支持板１４に、電動モータ２がその出力軸に設けたギア１５を調湿ロータ３の外周部のギア部１５に噛み合わせた状態で支持されて、調湿部Ｌがユニット状に構成されている。
そして、調湿ロータ３を予め設定された回転速度で軸芯周りに駆動回転すべく、電動モータ２を作動させる構成とされている。
【００２９】
一対の支持板１４夫々には、一対の概ね半円状の開口１４ｗが、軸心方向視において一方の支持板１４の開口１４ｗと他方の支持板１４の開口１４ｗとが重なる状態で形成されている。
各支持枠板１４の一対の開口１４ｗ夫々には、概ね半円状のシール材１６がその先端が調湿ロータ３に当接する状態で開口１４ｗに嵌め込んで設けられている。
【００３０】
図示を省略するが、顕熱交換部５は、放湿側熱交換流路及び吸湿側熱交換流路を互いに直交する状態で且つ夫々の熱交換流路を通流する流体同士で熱交換可能な状態に備えて構成されている。
この顕熱交換部５は、厚さ方向視の形状が略正方形状の直方体又は立方体状であり、図示は省略するが、厚さ方向に複数の放湿側熱交換流路及び複数の吸湿側熱交換流路が隔壁を隔てて交互に並ぶ形態でアルミニウム等にて形成されている。
図１に基づいて、顕熱交換部５について説明を加えると、この顕熱交換部５における厚さ方向視での４つの側面のうちの１つの側面５ａ（以下、放湿側流路入口側面と記載する場合がある）には、複数の放湿側熱交換流路の入口開口部（図示省略）が形成され、その放湿側流路入口側面５ａとは反対側の側面５ｂ（以下、放湿側流路出口側面と記載する場合がある）には、複数の放湿側熱交換流路の出口開口部（図示省略）が形成され、残りの２つの側面のうちの１つの側面５ｃ（以下、吸湿側流路入口側面と記載する場合がある）には、複数の吸湿側熱交換流路の入口開口部（図示省略）が形成され、その吸湿側流路入口側面５ｃとは反対側の側面５ｄ（以下、吸湿側流路出口側面と記載する場合がある）には、複数の吸湿側熱交換流路の出口開口部（図示省略）が形成されている。
【００３１】
そして、図１に示すように、調湿部Ｌ及び顕熱交換部５が、ケーシング１内に、調湿部Ｌを吸湿風路入口Ｄｉの側に位置させる状態で、吸湿風路入口Ｄｉ及び放湿風路入口Ｈｉの並び方向に並べて設けられている。
調湿部Ｌは、一対の開口１４ｗが吸湿風路入口Ｄｉ及び放湿風路出口Ｈｅの並び方向に並ぶ姿勢で、ケーシング１内を吸湿風路入口Ｄｉの側の部分と放湿風路入口Ｈｉの側の部分とに仕切る状態で設けられている。更に、そのケーシング１内における調湿部Ｌよりも吸湿風路入口Ｄｉの側の部分が、風路仕切り壁１７により、調湿部Ｌの一対の開口１４ｗのうちの一方と吸湿風路入口Ｄｉとが臨む吸湿風路用吸込室１８と、調湿部Ｌの一対の開口１４ｗのうちの他方と放湿風路出口Ｈｅとが臨む放湿風路用送出室１９とに仕切られている。
【００３２】
顕熱交換部５は、放湿側流路入口側面５ａが放湿風路入口Ｈｉに対向し且つ吸湿側流路出口側面５ｄが吸湿風路出口Ｄｅに対向する姿勢で、放湿側流路入口側面５ａと吸湿側流路入口側面５ｃとの角部、放湿側流路入口側面５ａと吸湿側流路出口側面５ｄとの角部、及び、吸湿側流路出口側面５ｄと放湿側流路出口側面５ｂとの角部夫々がケーシング１の３側壁の内面夫々に内接する状態で、ケーシング１内に設けられている。
更に、顕熱交換部５における吸湿側流路入口側面５ｃと放湿側流路出口側面５ｂとの角部と調湿部Ｌにおける一対の開口部１４ｗの境界部分とにわたって風路仕切り壁２０が設けられている。
【００３３】
そして、ケーシング内１における調湿部Ｌよりも放湿風路入口Ｈｉ側の部分が、顕熱交換部５の放湿側熱流路入口側面５ａ及び放湿風路入口Ｈｉが臨む放湿風路用吸込室２１、顕熱交換部５の放湿側流路出口側面５ｂ及び調湿部Ｌの一対の開口１４ｗの一方が臨む放湿風路用接続室２２、調湿部Ｌの一対の開口１４ｗのうちの他方及び顕熱交換部５の吸湿側流路入口側面５ｃが臨む吸湿風路用接続室２３、並びに、顕熱交換部５の吸湿側流路出口側面５ｄ及び吸湿風路出口Ｄｅが臨む吸湿風路用送出室２４の４室に仕切られている。
【００３４】
調湿用加熱器４は、熱媒を通流させる熱媒流通管（図示省略）を空気の通過が可能なように蛇行状に配管した熱媒循環式に構成され、図１に示すように、その調湿用加熱器４が、放湿風路用接続室２２内に配設されている。
その調湿用加熱器４には、コージェネレーションシステムを構成する燃料電池（図示省略）の冷却水が熱媒として冷却水循環路４１を通して循環供給されるように構成され、その冷却水循環路４２には、冷却水の通流を断続する熱動弁４２が設けられている。そして、その熱動弁４２が開弁されることにより、調湿用加熱器４の加熱作動が開始され、熱動弁４２が閉弁されることにより、調湿用加熱器４の加熱作動が停止されることになる。
【００３５】
そして、放湿風路用吸込室２１、放湿風路用接続室２２、及び、放湿風路用送出室１９により、放湿風路入口Ｈｉから、顕熱交換部５の放湿側熱交換流路、調湿用加熱器４、調湿ロータ３の一部を順に通過して放湿風路出口Ｈｅに至る放湿風路Ｈが形成される。
又、吸湿風路用吸込室１８、吸湿風路用接続室２３、及び、吸湿風路用送出室２４により、吸湿風路入口Ｄｉから、調湿ロータ３の一部、顕熱交換部５の吸湿側熱交換流路を順に通過して吸湿風路出口Ｄｅに至る吸湿風路Ｄが形成される。
【００３６】
還気ダクト１１と吸湿風路入口Ｄｉとの間に、上手側三方弁２５及び下手側三方弁２６が、上手側三方弁２５のａポート２５ａと還気ダクト１１とが連通し、上手側三方弁２５のｃポート２５ｃと下手側三方弁２６のａポート２６ａとが連通し、並びに、下手側三方弁２６のｃポート２６ｃと吸湿風路入口Ｄｉとが連通する状態で設けられている。
外気ダクト１２と放湿風路入口Ｈｉとの間に、上手側三方弁２７及び下手側三方弁２８が、上手側三方弁２７のａポート２７ａと外気ダクト１２とが連通し、上手側三方弁２７のｃポート２７ｃと下手側三方弁２８のａポート２８ａとが連通し、並びに、下手側三方弁２８のｃポート２８ｃと放湿風路入口Ｈｉとが連通する状態で設けられている。
【００３７】
吸湿風路出口Ｄｅと給気ダクト７との間に、上手側三方弁２９及び下手側三方弁３０が、上手側三方弁２９のａポート２９ａと吸湿風路出口Ｄｅとが連通し、上手側三方弁２９のｃポート２９ｃと下手側三方弁３０のａポート３０ａとが連通し、並びに、下手側三方弁３０のｃポート３０ｃと給気ダクト７とが連通する状態で設けられている。
放湿風路出口Ｈｅと排気ダクト９との間に、上手側三方弁３１及び下手側三方弁３２が、上手側三方弁３１のａポート３１ａと放湿風路出口Ｈｅとが連通し、上手側三方弁３１のｃポート３１ｃと下手側三方弁３２のａポート３２ａとが連通し、並びに、下手側三方弁３２ｃのポート３２ｃと排気ダクト９とが連通する状態で設けられている。
【００３８】
吸湿風路入口Ｄｉの側の上手側三方弁２５のｂポート２５ｂと放湿風路入口Ｈｉの側の下手側三方弁２８のｂポート２８ｂとが、風路入口間第１接続路３３にて連通接続され、吸湿風路入口Ｄｉの側の下手側三方弁２６のｂポート２６ｂと放湿風路入口Ｈｉの側の上手側三方弁２７のｂポート２７ｂとが、風路入口間第２接続路３４にて連通接続されている。
又、吸湿風路出口Ｄｅの側の下手側三方弁３０のｂポート３０ｂと放湿風路出口Ｈｅの側の上手側三方弁３１のｂポート３１ｂとが、風路出口間第１接続路３５にて連通接続され、吸湿風路出口Ｄｅの側の上手側三方弁２９のｂポート２９ｂと放湿風路出口Ｈｅの側の下手側三方弁３２のｂポート３２ｂとが、風路出口間第２接続路３６にて連通接続されている。
【００３９】
そして、図１及び図５に示すように、吸湿風路入口Ｄｉの側の上手側三方弁２５をａポート２５ａとｂポート２５ｂとが連通する第１位置に切り換え、下手側三方弁２６をｂポート２６ｂとｃポート２６ｃとが連通する第１位置に切り換え、並びに、放湿風路入口Ｈｉの側の上手側三方弁２７をａポート２７ａとｂポート２７ｂとが連通する第１位置に切り換え、下手側三方弁２８をｂポート２８ｂとｃポート２８ｃとが連通する第１位置に切り換えると、還気ダクト１１を放湿風路入口Ｈｉに連通させる還気部放湿入口連通状態に切り換えられ、並びに、外気ダクト１２を吸湿風路入口Ｄｉに連通させる外気部吸湿入口連通状態に切り換えられる。
【００４０】
図３及び図４に示すように、吸湿風路入口Ｄｉの側の上手側三方弁２５をａポート２５ａとｃポート２５ｃとが連通する第２位置に切り換え、下手側三方弁２６をａポート２６ａとｃポート２６ｃとが連通する第２位置に切り換え、並びに、放湿風路入口Ｈｉの側の上手側三方弁２７をａポート２７ａとｃポート２７ｃとが連通する第２位置に切り換え、下手側三方弁２８をａポート２８ａとｃポート２８ｃとが連通する第２位置に切り換えると、還気ダクト１１を吸湿風路入口Ｄｉに連通させる還気部吸湿入口連通状態に切り換えられ、並びに、外気ダクト１２を放湿風路入口Ｈｉに連通させる外気部放湿入口連通状態に切り換えられる。
【００４１】
つまり、吸湿風路入口Ｄｉの側の上手側三方弁２５及び下手側三方弁２６、放湿風路入口Ｈｉの側の上手側三方弁２７及び下手側三方弁２８、風路入口間第１接続路３３、並びに、風路入口第２接続路３４により、還気ダクト１１を、放湿風路入口Ｈｉに連通させる還気部放湿入口連通状態と、吸湿風路入口Ｄｉに連通させる還気部吸湿入口連通状態とに切り換え自在な還気部連通先切換部Ｖｒ、並びに、外気ダクト１２を、吸湿風路入口Ｄｉに連通させる外気部吸湿入口連通状態と、放湿風路入口Ｈｉに連通させる外気部放湿入口連通状態とに切り換え自在な外気部連通先切換部Ｖｏが構成される。
【００４２】
又、図１及び図４に示すように、吸湿風路出口Ｄｅの側の上手側三方弁２９をａポート２９ａとｂポート２９ｂとが連通する第１位置に切り換え、下手側三方弁３０をｂポート３０ｂとｃポート３０ｃとが連通する第１位置に切り換え、並びに、放湿風路出口Ｈｅの側の上手側三方弁３１をａポート３１ａとｂポート３１ｂとが連通する第１位置に切り換え、下手側三方弁３２をｂポート３２ｂとｃポート３２ｃとが連通する第１位置に切り換えると、給気ダクト７を放湿風路出口Ｈｅに連通させる給気部放湿出口連通状態に切り換えられ、並びに、排気ダクト９を吸湿風路出口Ｄｅに連通させる排気部吸湿出口連通状態に切り換えられる。
【００４３】
図３及び図５に示すように、吸湿風路出口Ｄｅの側の上手側三方弁２９をａポート２９ａとｃポート２９ｃとが連通する第２位置に切り換え、下手側三方弁３０をａポート３０ａとｃポート３０ｃとが連通する第２位置に切り換え、並びに、放湿風路出口Ｈｅの側の上手側三方弁３１をａポート３１ａとｃポート３１ｃとが連通する第２位置に切り換え、下手側三方弁３２をａポート３２ａとｃポート３２ｃとが連通する第２位置に切り換えると、給気ダクト７を吸湿風路出口Ｄｅに連通させる給気部吸湿出口連通状態に切り換えられ、並びに、排気ダクト９を放湿風路出口Ｈｅに連通させる排気部放湿出口連通状態に切り換えられる。
【００４４】
つまり、吸湿風路出口Ｄｅの側の上手側三方弁２９及び下手側三方弁３０、放湿風路出口Ｈｅの側の上手側三方弁３１及び下手側三方弁３２、風路出口間第１接続路３５、並びに、風路出口第２接続路３６により、給気ダクト７を、放湿風路出口Ｈｅに連通させる給気部放湿出口連通状態と、吸湿風路出口Ｄｅに連通させる給気部吸湿出口連通状態とに切り換え自在な給気部連通先切換部Ｖｓ、並びに、排気ダクト９を、吸湿風路出口Ｄｅに連通させる排気部吸湿出口連通状態と、放湿風路出口Ｈｅに連通させる排気部放湿出口連通状態とに切り換え自在な排気部連通先切換部Ｖｅが構成される。
【００４５】
そして、吸湿風路出口Ｄｅの側の下手側三方弁３０におけるｃポート３０ｃが給気ダクト７に連通し、その下手側三方弁３０のｃポート３０ｃが、給気部連通先切換部Ｖｓにおける給気ダクト７に対する連通口として機能することになる。
又、放湿風路出口Ｈｅの側の下手側三方弁３２におけるｃポート３２ｃが排気ダクト９に連通し、その下手側三方弁３２のｃポート３２ｃが、排気部連通先切換部Ｖｅにおける排気ダクト９に対する連通口として機能することになる。
【００４６】
図１に示すように、還気部連通先切換部Ｖｒを還気部放湿入口連通状態に切り換え、外気連通先切換部Ｖｏを外気部吸湿入口連通状態に切り換え、給気部連通先切換部Ｖｓを給気部放湿出口連通状態に切り換え、排気部連通先切換部Ｖｅを排気部吸湿出口連通状態に切り換える。
すると、還気ダクト１１、吸湿風路入口Ｄｉの側の上手側三方弁２５、風路入口間第１接続路３３、放湿風路入口Ｈｉの側の下手側三方弁２８、放湿風路Ｈ、放湿風路出口Ｈｅの側の上手側三方弁３１、風路出口間第１接続路３５、吸湿風路出口Ｄｅの側の下手側三方弁３０、給気ダクト７が一連に連なって、給気側送風機８の通風作用により、還気ダクト１１から空調対象空間の内気ＲＡを取り込んで放湿風路Ｈを通過させた後に給気ダクト７から再び空調対象空間に戻す内気循環形態の放湿風路Ｈｒｃが形成される。
並びに、外気ダクト１２、放湿風路入口Ｈｉの側の上手側三方弁２７、風路入口間第２接続路３４、吸湿風路入口Ｄｉの側の下手側三方弁２６、吸湿風路Ｄ、吸湿風路出口Ｄｅの側の上手側三方弁２９、風路出口間第２接続流路３６、放湿風路出口Ｈｅの側の下手側三方弁３２、排気ダクト９が一連に連なって、排気側送風機１０の通風作用により、外気ダクト１２から外気ＯＡを取り込んで吸湿風路Ｄを通過させた後に排気ダクト９から再び屋外に排出する外気循環形態の吸湿風路Ｄｏｃが形成される。
【００４７】
つまり、このデシカント空調装置では、空調対象空間の空気である内気ＲＡを取り込んで再び空調対象空間に戻す内気循環形態の放湿風路Ｈｒｃを通して内気ＲＡを放湿対象空気として通流させる給気側送風機７と、外気ＯＡを取り込んで再び屋外に排出する外気循環形態の吸湿風路Ｄｏｃを通して外気ＯＡを吸湿対象空気として通流させる排気側送風機９と、一部を内気循環形態の放湿風路Ｈｒｃに位置させ且つ他の一部を外気循環形態の吸湿風路Ｄｏｃに位置させるように配置されて電動モータ２により駆動回転される調湿ロータ３を備えた調湿部Ｌと、内気循環形態の放湿風路Ｈｒｃにおける調湿ロータ３よりも通風方向上手側箇所にて放湿対象空気に対して加熱作用する調湿用加熱器４と、内気循環形態の放湿風路Ｈｒｃにおける調湿用加熱器４よりも通風方向上手側箇所を通流する放湿対象空気と外気循環形態の吸湿風路Ｄｏｃにおける調湿ロータ３よりも通風方向下手側箇所を通流する吸湿対象空気とを熱交換させる顕熱交換部５とが設けられていることになる。
【００４８】
図３に示すように、還気部連通先切換部Ｖｒを還気部吸湿入口連通状態に切り換え、外気連通先切換部Ｖｏを外気部放湿入口連通状態に切り換え、給気部連通先切換部Ｖｓを給気部吸湿出口連通状態に切り換え、排気部連通先切換部Ｖｅを排気部放湿出口連通状態に切り換える。
すると、還気ダクト１１、吸湿風路入口Ｄｉの側の上手側三方弁２５、下手側三方弁２６、吸湿風路Ｄ、吸湿風路出口Ｄｅの側の上手側三方弁２９、下手側三方弁３０、給気ダクト８が一連に連なって、給気側送風機８の通風作用により、還気ダクト１１から空調対象空間の内気ＲＡを取り込んで吸湿風路Ｄを通過させた後に給気ダクト７から再び空調対象空間に戻す内気循環形態の吸湿風路Ｄｒｃが形成される。
並びに、外気ダクト１２、放湿風路入口Ｈｉの側の上手側三方弁２７、下手側三方弁２８、放湿風路Ｈ、放湿風路出口Ｈｅの側の上手側三方弁３１、下手側三方弁３２、排気ダクト９が一連に連なって、排気側送風機１０の通風作用により、外気ダクト１２から外気ＯＡを取り込んで放湿風路Ｈを通過させた後に排気ダクト９から再び屋外に排出する外気循環形態の放湿風路Ｈｏｃが形成される。
【００４９】
図４に示すように、還気部連通先切換部Ｖｒを還気部吸湿入口連通状態に切り換え、外気連通先切換部Ｖｏを外気部放湿入口連通状態に切り換え、排気部連通先切換部Ｖｅを排気部吸湿出口連通状態に切り換え、給気部連通先切換部Ｖｓを給気部放湿出口連通状態に切り換える。
すると、還気ダクト１１、吸湿風路入口Ｄｉの側の上手側三方弁２５、下手側三方弁２６、吸湿風路Ｄ、吸湿風路出口Ｄｅの側の上手側三方弁２９、風路出口間第２接続流路３６、放湿風路出口Ｈｅの側の下手側三方弁３２、排気ダクト９が一連に連なって、排気側送風機１０の通風作用により、還気ダクト１１から内気ＲＡを取り込んで吸湿風路Ｄを通過させた後に排気ダクト９から屋外に排出する内気排気形態の吸湿風路Ｄｒｅが形成される。
並びに、外気ダクト１２、放湿風路入口Ｈｉの側の上手側三方弁２７、下手側三方弁２８、放湿風路Ｈ、放湿風路出口Ｈｅの側の上手側三方弁３１、風路出口間第１接続路３５、吸湿風路出口Ｄｅの側の下手側三方弁３０、給気ダクト７が一連に連なって、給気側送風機８の通風作用により、外気ダクト１２から外気ＯＡを取り込んで放湿風路Ｈを通過させた後に給気ダクト７から空調対象空間に供給する外気給気形態の放湿風路Ｈｏｓが形成される。
【００５０】
図５に示すように、還気部連通先切換部Ｖｒを還気部放湿入口連通状態に切り換え、外気連通先切換部Ｖｏを外気部吸湿入口連通状態に切り換え、排気部連通先切換部Ｖｅを排気部放湿出口連通状態に切り換え、給気部連通先切換部Ｖｓを給気部吸湿出口連通状態に切り換える。
すると、還気ダクト１１、吸湿風路入口Ｄｉの側の上手側三方弁２５、風路入口間第１接続路３３、放湿風路入口Ｈｉの側の下手側三方弁２８、放湿風路Ｈ、放湿風路出口Ｈｅの側の上手側三方弁３１、下手側三方弁３２、排気ダクト９が一連に連なって、排気側送風機９の通風作用により、還気ダクト１１から内気ＲＡを取り込んで放湿風路Ｈを通過させた後に排気ダクト９から屋外に排出する内気排気形態の放湿風路Ｈｒｅが形成される。
並びに、外気ダクト１２、放湿風路入口Ｈｉの側の上手側三方弁２７、風路入口間第２接続路３４、吸湿風路入口Ｄｉの側の下手側三方弁２６、吸湿風路Ｄ、吸湿風路出口Ｄｅの側の上手側三方弁２９、下手側三方弁３０、給気ダクト７が一連に連なって、給気側送風機８の通風作用により、外気ダクト１２から外気ＯＡを取り込んで吸湿風路Ｄを通過させた後に給気ダクト７から空調対象空間に供給する外気給気形態の吸湿風路Ｄｏｓが形成される。
【００５１】
図１に示すように、放湿風路入口Ｈｉの側の上手側三方弁２７のａポート２７ａ付近には、外気ＯＡの温度を検出する外気温度センサ３７、及び、外気ＯＡの相対湿度を検出する外気湿度センサ３８が設けられている。これら外気温度センサ３７及び外気湿度センサ３８により、外気ＯＡの気象情報として少なくとも湿度を検出する気象情報検出手段Ｗが構成される。
又、運転制御部６に各種制御情報を指令する遠隔操作式の操作部３９が設けられ、この操作部３９には、図示を省略するが、運転の開始及び停止を指令する運転スイッチ、循環式加湿運転、循環式除湿運転、換気式加湿運転及び換気式除湿運転のうちからいずれか一つを設定自在な運転形態設定部等が設けられている。
そして、運転制御部６は、操作部３９の運転スイッチにより運転開始が指令されると、運転形態設定部にて設定された運転形態にてデシカント空調装置を運転するように構成されている。
【００５２】
以下、運転制御部６の制御動作について説明する。
運転制御部６は、操作部３９の運転スイッチにより運転開始が指令されると、電動モータ２を作動させて調湿ロータ３を設定回転速度で回転駆動すると共に、熱動弁４２を開弁して調湿用加熱器４を加熱作動させ、並びに、運転形態設定部にて設定された運転形態に応じて、還気部連通先切換部Ｖｒ、外気部連通先切換部Ｖｏ、給気部連通先切換部Ｖｓ及び排気部連通先切換部Ｖｅの作動を制御して、運転形態設定部にて設定された運転形態にてデシカント空調装置の運転を開始する。
又、運転制御部６は、操作部３９の運転スイッチにより運転停止が指令されると、電動モータ２を停止させると共に熱動弁４２を閉弁して、運転を停止する。
【００５３】
循環式加湿運転、循環式除湿運転、換気式加湿運転及び換気式除湿運転について、説明を加える。
先ず、循環式加湿運転について説明を加える。
図１に示すように、運転制御部６は、操作部３９の運転形態設定部にて循環式加湿運転が設定されると、還気部連通先切換部Ｖｒを還気部放湿入口連通状態に切り換え、外気連通先切換部Ｖｏを外気部吸湿入口連通状態に切り換え、給気部連通先切換部Ｖｓを給気部放湿出口連通状態に切り換え、排気部連通先切換部Ｖｅを排気部吸湿出口連通状態に切り換えて、内気循環形態の放湿風路Ｈｒｃ及び外気循環形態の吸湿風路Ｄｏｃを形成して、循環式加湿運転を実行する。
【００５４】
この循環式加湿運転では、外気ダクト１２を通して取り込まれた外気ＯＡは、吸湿対象空気として吸湿風路Ｄを通過した後、排気ダクト９から排気ＥＡとして屋外に排出され、並びに、空調対象空間から還気ダクト１１を通して取り込まれた内気ＲＡは、放湿対象空気として放湿風路Ｈを通過した後、給気ダクト７を通して給気ＳＡとして空調対象空間に供給される。
そして、外気ＯＡは、調湿ロータ３を通過するときに、調湿ロータ３の保有熱及び凝縮熱により昇温されつつ保有する水蒸気が調湿ロータ３に吸収されて、除湿されると共に昇温され、そのように除湿並びに昇温された外気ＯＡが顕熱交換部５を通過するときに内気ＲＡとの熱交換により冷却された後、排気ＥＡとして屋外に排出される。一方、内気ＲＡは、顕熱交換部５を通過するときに外気ＯＡとの熱交換により加熱され、更に、加湿用加熱器４を通過することで加熱され、そのように加熱された内気ＲＡが調湿ロータ３を通過するときに調湿ロータ３から放湿されて加湿され、そのように加湿された内気ＲＡが給気ＳＡとして再び空調対象空間に供給されることになる。
つまり、内気ＲＡが、外気ＯＡに含まれる水蒸気により加湿されながら、内気循環形態の放湿風路Ｈｒｃを通して循環されることにより、空調対象空間が加湿される。
【００５５】
そして、本発明では、循環式加湿運転において、内気循環形態の放湿風路Ｈｒｃを通流する放湿対象空気の風量が外気循環形態の吸湿風路Ｄｏｃを通流する吸湿対象空気の風量と同量となるように給気側送風機８及び排気側送風機１０の作動を制御する通常モードと、内気循環形態の放湿風路Ｈｒｃを放湿対象空気の風量が外気循環形態の吸湿風路Ｄｏｃを通流する吸湿対象空気の風量よりも少なくなるように給気側送風機８及び排気側送風機１０の作動を制御する低湿時モードとに運転モードを切り換え自在なように構成されている。
この実施形態では、外気ＯＡの気象情報として少なくとも湿度を検出する気象情報検出手段Ｗとして、外気温度センサ３７及び外気湿度センサ３８が設けられている。
そして、運転制御部６が、外気温度センサ３７及び外気湿度センサ３８夫々の検出情報に基づいて外気が低湿状態であると判別する状態では低湿時モードを実行し、低湿状態でない通常湿度状態であると判別する状態では通常モードを実行するように構成されている。
又、この実施形態では、運転制御手部６が、低湿時モードにおいては、外気循環形態の吸湿風路Ｄｏｃを通流する吸湿対象空気の風量を通常モードと同量にする状態で、内気循環形態の放湿風路Ｈｒｃを通流する放湿対象空気の風量を通常モードよりも少なくすべく給気側送風機８及び排気側送風機１０の作動を制御するように構成されている。
具体的には、運転制御手部６が、低湿時モードにおいては、内気循環形態の放湿風路Ｈｒｃを通流する放湿対象空気の風量を通常モード時の略半分の量にすべく給気側送風機８の作動を制御するように構成されている。
【００５６】
以下、循環式加湿運転における通常モード及び低湿時モードについて、具体的に説明を加える。
運転制御部６は、外気温度センサ３７にて検出される外気ＯＡの温度が低湿状態判別用温度以下であり、且つ、外気湿度センサ３８にて検出される外気ＯＡの相対湿度が低湿状態判別用湿度以下の場合は、低湿状態であると判別し、外気温度センサ３７にて検出される外気ＯＡの温度が低湿状態判別用温度よりも高いか、又は、外気湿度センサ３８にて検出される外気ＯＡの相対湿度が低湿状態判別用湿度よりも高い場合は、通常湿度状態であると判別するように構成されている。ちなみに、低湿状態判別用温度は例えば８℃に、低湿状態判別用湿度は例えば５５％に夫々設定される。
【００５７】
そして、運転制御部６は、外気温度センサ３７及び外気湿度センサ３８夫々の検出情報に基づいて、通常湿度状態であると判別したときは、外気循環形態の吸湿風路Ｄｏｃを通流する吸湿対象空気（外気ＯＡ）及び内気循環形態の放湿風路Ｈｒｃを通流する放湿対象空気（内気ＲＡ）夫々の風量が予め設定された通常用設定風量になるように、給気側送風機８及び排気側送風機１０の作動を制御する。
又、運転制御部６は、外気温度センサ３７及び外気湿度センサ３８夫々の検出情報に基づいて、低湿湿度状態であると判別したときは、外気循環形態の吸湿風路Ｄｏｃを通流する吸湿対象空気（外気ＯＡ）の風量が通常用設定風量となり、内気循環形態の放湿風路Ｈｒｃを通流する放湿対象空気（内気ＲＡ）の風量が予め設定された低湿用設定風量になるように、給気側送風機８及び排気側送風機１０の作動を制御する。
ちなみに、例えば、通常用設定風量は、３０ｍ3／ｈに設定され、低湿用設定風量は、通常用設定風量の半分の量の１５ｍ3／ｈに設定される。
【００５８】
次に、図６に基づいて、低湿状態のときに、循環式加湿運転を通常モードから低湿時モードに切り換えることにより、加湿能力を向上できることを検証した結果を説明する。
尚、図６は、吸湿対象空気としての外気ＯＡの相対湿度（％）及び絶対湿度（ｇ／ｋｇＤＡ）、吸湿対象空気としての外気ＯＡ及び放湿対象空気としての内気ＲＡの風量（ｍ3／ｈ）、並びに、放湿対象空気としての内気ＲＡに対する加湿量（ｇ／ｋｇＤＡ）夫々の時間経過に伴う変化を示す。
【００５９】
図６に示すように、外気ＯＡの相対湿度は５１〜５２％程度であり、図示を省略するが外気ＯＡの温度は７℃であり、外気ＯＡは低湿状態であると判定される。
この検証試験では、１２：００の時点で、吸湿対象空気である外気ＯＡの風量は通常用設定風量の３０ｍ3／ｈのままで、放湿対象空気である内気ＲＡの風量を通常用設定風量の３０ｍ3／ｈから低湿用設定風量の１５ｍ3／ｈに減少調整して、通常モードから低湿時モードに切り換えた。
すると、放湿対象空気である内気ＲＡに対する加湿量は、通常モードでは１．２ｇ／ｋｇＤＡであったのに対して、低湿時モードでは１．７ｇ／ｋｇＤＡになり、通常モードから低湿時モードに切り換えることにより、加湿量が４１％程度増加した。
つまり、循環式加湿運転においては、外気の湿度が低い低湿時には低湿時モードを実行することにより、加湿能力を向上できることを検証することができた。
【００６０】
次に、循環式除湿運転について説明を加える。
図３に示すように、運転制御部６は、操作部３９の運転形態設定部にて循環式除湿運転が設定されると、還気部連通先切換部Ｖｒを還気部吸湿入口連通状態に切り換え、外気連通先切換部Ｖｏを外気部放湿入口連通状態に切り換え、給気部連通先切換部Ｖｓを給気部吸湿出口連通状態に切り換え、排気部連通先切換部Ｖｅを排気部放湿出口連通状態に切り換えて、内気循環形態の吸湿風路Ｄｒｃ及び外気循環形態の放湿風路Ｈｏｃを形成して、循環式除湿運転を実行する。
【００６１】
この循環式除湿運転では、外気ダクト１２を通して取り込まれた外気ＯＡは、放湿対象空気として放湿風路Ｈを通過した後、排気ダクト９から排気ＥＡとして屋外に排出され、並びに、空調対象空間から還気ダクト１１を通して取り込まれた内気ＲＡは、吸湿対象空気として吸湿風路Ｄを通過した後、給気ダクト７を通して給気ＳＡとして空調対象空間に供給される。
そして、外気ＲＡは、顕熱交換部５を通過するときに内気ＲＡとの熱交換により加熱され、更に、加湿用加熱器４を通過することで加熱され、そのように加熱された外気ＯＡが調湿ロータ３を通過するときに調湿ロータ３から放湿されて加湿され、そのように加湿された外気ＯＡが排気ＥＡとして屋外に排出される。一方、内気ＲＡは、調湿ロータ３を通過するときに、調湿ロータ３の保有熱及び凝縮熱により昇温されつつ保有している水蒸気が調湿ロータ３に吸収されて、除湿されると共に昇温され、そのように除湿並びに昇温された内気ＲＡが顕熱交換部５を通過するときに外気ＯＡとの熱交換により冷却された後、給気ＳＡとして再び空調対象空間に供給される。
つまり、内気ＲＡが外気ＯＡに放湿して除湿されながら、内気循環形態の吸湿風路Ｄｒｃを通して循環されることにより、空調対象空間が除湿される。
【００６２】
次に、換気式加湿運転について説明を加える。
図４に示すように、運転制御部６は、操作部３９の運転形態設定部にて換気式加湿運転が設定されると、還気部連通先切換部Ｖｒを還気部吸湿入口連通状態に切り換え、外気連通先切換部Ｖｏを外気部放湿入口連通状態に切り換え、排気部連通先切換部Ｖｅを排気部吸湿出口連通状態に切り換え、給気部連通先切換部Ｖｓを給気部放湿出口連通状態に切り換えて、内気排気形態の吸湿風路Ｄｒｅ及び外気給気形態の放湿風路Ｈｏｓを形成して、換気式加湿運転を実行する。
【００６３】
この換気式加湿運転では、外気ダクト１２を通して取り込まれた外気ＯＡは放湿対象空気として放湿風路Ｈを通過した後、給気ダクト７から給気ＳＡとして空調対象空間に供給され、並びに、空調対象空間から還気ダクト１１を通して取り込まれた内気ＲＡは吸湿対象空気として吸湿風路Ｄを通過した後、排気ＥＡとして排気ダクト９を通して屋外に排出される。
そして、内気ＲＡは、調湿ロータ３を通過するときに、調湿ロータ３の保有熱及び凝縮熱により昇温されつつ保有している水蒸気が調湿ロータ３に吸収されて、除湿されると共に昇温され、そのように除湿並びに昇温された内気ＲＡが顕熱交換部５を通過するときに外気ＯＡとの熱交換により冷却された後、排気ＥＡとして屋外に排出される。一方、外気ＯＡは、顕熱交換部５を通過するときに内気ＲＡとの熱交換により加熱され、更に、加湿用加熱器４を通過することで加熱され、そのように加熱された外気ＯＡが調湿ロータ３を通過するときに調湿ロータ３から放湿されて加湿され、そのように加湿された外気ＯＡが給気ＳＡとして空調対象空間に供給されることになる。
つまり、内気ＲＡが調湿ロータ３での吸湿により除湿されたのち屋外に排出され、外気ＯＡが調湿ロータ３での放湿により加湿されたのち空調対象空間に供給されることになり、空調対象空間が換気されながら加湿される。
【００６４】
次に、換気式除湿運転について説明を加える。
図５に示すように、運転制御部６は、操作部３９の運転形態設定部にて換気式除湿運転が設定されると、還気部連通先切換部Ｖｒを還気部放湿入口連通状態に切り換え、外気連通先切換部Ｖｏを外気部吸湿入口連通状態に切り換え、排気部連通先切換部Ｖｅを排気部放湿出口連通状態に切り換え、給気部連通先切換部Ｖｓを給気部吸湿出口連通状態に切り換えて、内気排気形態の放湿風路Ｈｒｅ及び外気給気形態の吸湿風路Ｄｏｓを形成して、換気式除湿運転を実行する。
【００６５】
この換気式除湿運転では、外気ダクト１２を通して取り込まれた外気ＯＡは吸湿対象空気として吸湿風路Ｄを通過した後、給気ダクト７から給気ＳＡとして空調対象空間に供給され、並びに、空調対象空間から還気ダクト１１を通して取り込まれた内気ＲＡは放湿対象空気として放湿風路Ｈを通過した後、排気ＥＡとして排気ダクト９を通して屋外に排出される。
そして、内気ＲＡは、顕熱交換部５を通過するときに外気ＯＡとの熱交換により加熱され、更に、加湿用加熱器４を通過することで加熱され、そのように加熱された内気ＲＡが調湿ロータ３を通過するときに調湿ロータ３から放湿されて加湿され、そのように加湿された内気ＲＡが排気ＥＡとして屋外に排出される。一方、外気ＯＡは、調湿ロータ３を通過するときに、調湿ロータ３の保有熱及び凝縮熱により昇温されつつ保有している水蒸気が調湿ロータ３に吸収されて、除湿されると共に昇温され、そのように除湿並びに昇温された外気ＯＡが顕熱交換部５を通過するときに内気ＲＡとの熱交換により冷却されたのち給気ＳＡとして空調対象空間に供給されることになる。
つまり、内気ＲＡが調湿ロータ３での放湿により加湿されたのち排出され、外気ＯＡが調湿ロータ３での吸湿により除湿されたのち空調対象空間に供給されることになり、空調対象空間が換気されながら除湿される。
【００６６】
〔別実施形態〕
次に別実施形態を説明する。
（イ）  上記の実施形態では、運転制御部６を、気象情報検出手段Ｗの検出情報に基づいて外気が低湿状態であると判別する状態では低湿時モードを実行し、低湿状態でないと判別する状態では通常モードを実行するように構成して、外気の湿度等の状態により、低湿時モードと通常モードとに自動的に切り換えられるように構成した。
これに代えて、低湿時モードと通常モードとを人為操作で選択するモード選択スイッチを設けて、人為操作で低湿時モードと通常モードとを選択するように構成しても良い。
【００６７】
（ロ）  外気の気象情報として少なくとも湿度を検出する気象情報検出手段Ｗの具体構成としては、上記の実施形態の構成、即ち、外気の温度を検出する外気温度センサ３７、及び、外気の相対湿度を検出する外気湿度センサを備える構成に限定されるものではない。
例えば、外気の湿度を検出する外気湿度センサのみにて構成しても良い。
外気湿度センサとしては、絶対湿度を検出するものを設けても良い。
【００６８】
（ハ）  低湿時モードにおいて放湿対象空気の風量が吸湿対象空気の風量よりも少なくなるようにする形態は、上記の実施形態において例示した形態、即ち、通常モードでの放湿対象空気の風量と吸湿対象空気の風量とを同量にする場合に、吸湿対象空気の風量を通常モードと低湿時モードとで同量にする状態で、放湿対象空気の風量を通常モードよりも低湿時モードの方を少なくする形態に限定されるものではない。
例えば、通常モードでの放湿対象空気の風量と吸湿対象空気の風量とを同量にする場合に、放湿対象空気の風量を通常モードと低湿時モードとで同量にする状態で、吸湿対象空気の風量を通常モードよりも低湿時モードの方を多くする形態でも良い。
あるいは、放湿対象空気の風量が吸湿対象空気の風量よりも少なくなるように、放湿対象空気及び吸湿対象空気両者の風量を変更しても良い。
又、上記の実施形態では、通常モードでは、放湿対象空気の風量と吸湿対象空気の風量とを同量にしたが、放湿対象空気の風量を吸湿対象空気の風量よりも多くしても良い。
【００６９】
（ニ）  上記の実施形態では、デシカント空調装置を循環式加湿運転、循環式除湿運転、換気式加湿運転及び換気式除湿運転の４種の運転形態が択一的に選択自在なように構成したが、循環式加湿運転および循環式除湿運転の２種の運転形態を択一的に選択自在なようにしたり、循環式加湿運転のみを実行可能なように構成しても良い。
【００７０】
（ホ）  調湿用加熱器４の具体構成は、上記の実施形態において説明した構成に限定されるものではない。
例えば、上記の実施形態と同様に熱媒循環式に構成する場合、熱媒としては、上記の実施形態において説明した燃料電池の冷却水に限定されるものではなく、エンジンで駆動される発電機が設けられたコージェネレーションシステムの場合は、エンジンの冷却水を熱媒としても良い。あるいは、ガス燃焼式等の湯沸かし器にて加熱した湯を熱媒としても良い。
又、調湿用加熱器４は、熱媒循環式に限定されるものではなく、例えば、電気ヒータでも良い。
【産業上の利用可能性】
【００７１】
以上説明したように、加湿用の水分の供給源である外気が低湿状態であっても、加湿能力を向上し得るデシカント空調装置を提供することができる。
【符号の説明】
【００７２】
１      ケーシング
２      電動モータ（駆動手段）
３      調湿ロータ（調湿体）
４      調湿用加熱器（調湿用加熱手段）
５      顕熱交換部
６      運転制御部（運転制御手段）
７      給気ダクト（給気部）
８      給気側送風機（給気側送風手段）
９      排気ダクト（排気部）
１０    排気側送風機（排気側送風手段）
１１    還気ダクト（還気部）
１２    外気ダクト（外気部）
３０ｃ  連通口
３２ｃ  連通口
Ｄ      吸湿風路
Ｄｅ    吸湿風路出口
Ｄｉ    吸湿風路入口
Ｄｏｃ  外気循環形態の吸湿風路
Ｄｒｃ  内気循環形態の吸湿風路
Ｈ      放湿風路
Ｈｅ    放湿風路出口
Ｈｉ    放湿風路入口
Ｈｏｃ  外気循環形態の放湿風路
Ｈｒｃ  内気循環形態の放湿風路
Ｌ      調湿部（調湿手段）
ＯＡ    外気
ＲＡ    内気
Ｖｅ    排気部連通先切換部（排気部連通先切換手段）
Ｖｏ    外気部連通先切換部（外気部連通先切換手段）
Ｖｒ    還気部連通先切換部（還気部連通先切換手段）
Ｖｓ    給気部連通先切換部（給気部連通先切換手段）
Ｗ      気象情報検出手段
【図１】
2011185572.tif 000003
【図２】
2011185572.tif 000004
【図３】
2011185572.tif 000005
【図４】
2011185572.tif 000006
【図５】
2011185572.tif 000007
【図６】
2011185572.tif 000008